(57)【特許請求の範囲】
【請求項１】
送信側周辺装置から同軸ケーブルを介して供給されたシリアルディジタル信号を、光受信手段に送信する、多段接続可能な光送信装置において、
送信側周辺装置又は前段の光送信装置から同軸ケーブルを介して供給された上記シリアルディジタル信号をケーブル自動等化器により所定のレベルにしてクロック生成部及びタイミング補正部に送出し、クロック生成部により上記所定のレベルのシリアルディジタル信号からシリアルクロックを生成してタイミング補正部に送出し、タイミング補正部により上記所定のレベルのシリアルディジタル信号を上記シリアルクロックでラッチし、電気／光変換器により上記シリアルディジタル信号をシリアルディジタル光信号に変換すると共に上記タイミング補正部により上記シリアルクロックでラッチされた上記シリアルディジタル信号が入力信号として供給されたときのみアクティブループスルー端子にてループを構成して複数多段接続される
ことを特徴とする光送信装置。
【請求項２】
送信側周辺装置から同軸ケーブルを介して供給されたシリアルディジタル信号を、多段接続された複数の光送信手段と、複数の光受信手段を用いて複数の受信側周辺装置に伝送するディジタル信号伝送装置であって、
各光送信手段は、送信側周辺装置又は前段の光送信手段から同軸ケーブルを介して供給された上記シリアルディジタル信号をケーブル自動等化器により所定のレベルにしてクロック生成部及びタイミング補正部に送出し、クロック生成部により上記所定のレベルのシリアルディジタル信号からシリアルクロックを生成してタイミング補正部に送出し、タイミング補正部により上記所定のレベルのシリアルディジタル信号を上記シリアルクロックでラッチし、電気／光変換器により上記シリアルディジタル信号をシリアルディジタル光信号に変換すると共に上記タイミング補正部により上記シリアルクロックでラッチされた上記シリアルディジタル信号が入力信号として供給されたときのみアクティブループスルー端子にてループを構成して複数多段接続され、
各光受信手段は、上記複数多段接続された各光送信手段からの各シリアルディジタル光信号を受信するように設けられ、各光受信手段は上記各シリアルディジタル光信号を光／電気変換器により電気信号に変換してタイミング補正部及びクロック生成部に送出し、クロック生成部によって上記電気信号からシリアルクロックを生成してタイミング補正部に送出し、タイミング補正部により上記電気信号を上記シリアルクロックでラッチしてケーブルドライバに供給し、ケーブルドライバによって上記ラッチされた電気信号であるシリアルディジタル信号を上記同軸ケーブルを介して各受信側周辺装置に伝送する
ことを特徴とするディジタル信号伝送装置。
【請求項３】
上記複数多段接続された各光送信手段は、電気信号を同軸ケーブルに供給するケーブルドライバをそれぞれ備え、各ケーブルドライバ内に上記アクティブループスルー端子を有することを特徴とする請求項２記載のディジタル信号伝送装置。
【請求項４】
送信側周辺装置から同軸ケーブルを介して供給されたシリアルディジタル信号を、多段接続された複数の光送信手段と、複数の光受信手段を用いて複数の受信側周辺装置に伝送するためのディジタル信号伝送方法であって、
各光送信手段では、
送信側周辺装置又は前段の光送信手段から同軸ケーブルを介して供給された上記シリアルディジタル信号を所定のレベルにするステップと、
上記所定のレベルのシリアルディジタル信号からシリアルクロックを生成するステップと、
上記シリアルクロックを用い、上記所定のレベルのシリアルディジタル信号をラッチするステップと、
上記ラッチされた上記シリアルディジタル信号をシリアルディジタル光信号に変換するステップと、
上記シリアルクロックにてラッチされたシリアルディジタル信号が入力として供給されたときのみ前記ケーブルドライバ内に有するアクティブループスルー端子にてループを構成するステップが実行され、
各光受信手段では、
上記シリアルディジタル光信号を電気信号に変換するステップと、
上記光／電気変換された電気信号からシリアルクロックを生成するステップと、
上記シリアルクロックを用い、上記光／電気変換された電気信号をラッチするステップと、
上記ラッチされた電気信号であるシリアルディジタル信号を上記同軸ケーブルに供給するステップが実行されることを特徴とするディジタル信号伝送方法。
【発明の詳細な説明】
【０００１】
【発明の属する技術分野】
本発明は、送信側周辺装置から同軸ケーブルを介して供給されたシリアルディジタル信号をシリアルディジタル光信号に変換して送信する光送信装置に関する。また、送信側周辺装置からのシリアルディジタル信号を光信号に変換して複数の受信側周辺装置に伝送するディジタル信号伝送装置及びディジタル信号伝送方法に関する。
【０００２】
【従来の技術】
例えばビデオテープレコーダやスイッチャ等の送信側周辺装置からのフルバンドのハイビジョン（Ｈｉｇｈ  Ｄｅｆｉｎｉｔｉｏｎ  ＴＶ、ＨＤＴＶ）ディジタル信号（非圧縮１．４８５Ｇｂｐｓ）を中・長距離伝送してモニタ装置等の受信側周辺装置に供給する場合、図８に示すように、送信側周辺装置からパラレルディジタルインターフェースを介して供給されたパラレルのハイビジョン信号を光送信装置５１で光信号に変換し、光ファイバー５２を介して光受信装置５３に伝送し、該光受信装置でパラレルのハイビジョンディジタル信号に戻し、再度パラレルディジタルインターフェースを介して受信側周辺装置に供給する方法がある。
【０００３】
また、図９に示すように、送信側周辺装置からアナログインターフェースを介して供給されたＹ，Ｐｂ，Ｐｒのようなアナログハイビジョン信号を光送信装置６１で光信号に変換し、光ファイバー６２を介して光受信装置６３に伝送し、該光受信装置６３でアナログハイビジョン信号に戻し、再度アナログディジタルインターフェースを介して受信側周辺装置に供給する方法もある。
【０００４】
【発明が解決しようとする課題】
ところで、図８に示したように、パラレルディジタルインターフェースを介して周辺装置と光送信装置及び受信装置を接続すると、周辺装置と光送信装置及び受信装置とを結ぶケーブル間に伝送遅延アンバランスが生じる。また、パラレルディジタルインターフェースを持つ装置間が長距離の場合、受信側での同期検出が困難になる。さらに、多数の伝送回路が必要となる。
【０００５】
また、図９に示したように、アナログインターフェースを介して周辺装置と光送信装置及び受信装置を接続すると、同様にケーブル間に伝送遅延アンバランスが生じる。また、ディジタル信号に比べて信号の劣化が激しく、装置間距離に制限を設けなければならない。
【０００６】
また、双方共、装置間の例えばケーブルのような媒体が複数本必要となるため接続工数が増加しかさばる。
【０００７】
また、双方共、システム構築上ポイント・トウ・ポイント接続のため増設する際、不便さが伴う。
【０００８】
本発明は、上記実情に鑑みてなされたものであり、送信側周辺装置又は前段の光送信装置から同軸ケーブルを介してシリアルディジタル信号が入力として供給されたときのみ、ループを構成して複数多段接続されてなり、シリアルディジタル信号をシリアルディジタル光信号に変換して複数の光受信手段に送信することのできる光送信装置の提供を目的とする。
【０００９】
本発明は、上記実情に鑑みてなされたものであり、複雑な構成を不要としながらも複数の受信側周辺装置へのディジタル信号の伝送が可能なディジタル信号伝送装置及びディジタル信号伝送方法の提供を目的とする。
【００１１】
【課題を解決するための手段】
本発明に係る光送信装置は、上記課題を解決するために、送信側周辺装置から同軸ケーブルを介して供給されたシリアルディジタル信号を、光受信手段に送信する、多段接続可能な光送信装置において、送信側周辺装置又は前段の光送信装置から同軸ケーブルを介して供給された上記シリアルディジタル信号をケーブル自動等化器により所定のレベルにしてクロック生成部及びタイミング補正部に送出し、クロック生成部により上記所定のレベルのシリアルディジタル信号からシリアルクロックを生成してタイミング補正部に送出し、タイミング補正部により上記所定のレベルのシリアルディジタル信号を上記シリアルクロックでラッチし、電気／光変換器により上記シリアルディジタル信号をシリアルディジタル光信号に変換すると共に上記タイミング補正部により上記シリアルクロックでラッチされた上記シリアルディジタル信号が入力信号として供給されたときのみアクティブループスルー端子にてループを構成して複数多段接続される。
【００１２】
本発明に係るディジタル信号伝送装置は、上記課題を解決するために、送信側周辺装置から同軸ケーブルを介して供給されたシリアルディジタル信号を、多段接続された複数の光送信手段と、複数の光受信手段を用いて複数の受信側周辺装置に伝送するディジタル信号伝送装置であって、各光送信手段は、送信側周辺装置又は前段の光送信手段から同軸ケーブルを介して供給された上記シリアルディジタル信号をケーブル自動等化器により所定のレベルにしてクロック生成部及びタイミング補正部に送出し、クロック生成部により上記所定のレベルのシリアルディジタル信号からシリアルクロックを生成してタイミング補正部に送出し、タイミング補正部により上記所定のレベルのシリアルディジタル信号を上記シリアルクロックでラッチし、電気／光変換器により上記シリアルディジタル信号をシリアルディジタル光信号に変換すると共に上記タイミング補正部により上記シリアルクロックでラッチされた上記シリアルディジタル信号が入力信号として供給されたときのみアクティブスルー端子にてループを構成して複数多段接続され、各光受信手段は、上記複数多段接続された各光送信手段からの各シリアルディジタル光信号を受信するように設けられ、各光受信手段は上記各シリアルディジタル光信号を光／電気変換器により電気信号に変換してタイミング補正部及びクロック生成部に送出し、クロック生成部によって上記電気信号からシリアルクロックを生成してタイミング補正部に送出し、タイミング補正部により上記電気信号を上記シリアルクロックでラッチしてケーブルドライバに供給し、ケーブルドライバによって上記ラッチされた電気信号であるシリアルディジタル信号を上記同軸ケーブルを介して各受信側周辺装置に伝送する。
【００１３】
本発明に係るディジタル信号伝送方法は、上記課題を解決するために、送信側周辺装置から同軸ケーブルを介して供給されたシリアルディジタル信号を、多段接続された複数の光送信手段と、複数の光受信手段を用いて複数の受信側周辺装置に伝送するためのディジタル信号伝送方法であって、各光送信手段では、送信側周辺装置又は前段の光送信手段から同軸ケーブルを介して供給された上記シリアルディジタル信号を所定のレベルにするステップと、上記所定のレベルのシリアルディジタル信号からシリアルクロックを生成するステップと、上記シリアルクロックを用い、上記所定のレベルのシリアルディジタル信号をラッチするステップと、上記ラッチされた上記シリアルディジタル信号をシリアルディジタル光信号に変換するステップと、上記シリアルクロックにてラッチされたシリアルディジタル信号が入力として供給されたときのみ前記ケーブルドライバ内に有するアクティブループスルー端子にてループを構成するステップが実行され、各光受信手段では、上記シリアルディジタル光信号を電気信号に変換するステップと、上記光／電気変換された電気信号からシリアルクロックを生成するステップと、上記シリアルクロックを用い、上記光／電気変換された電気信号をラッチするステップと、上記ラッチされた電気信号であるシリアルディジタル信号を上記同軸ケーブルに供給するステップが実行される。
【００１６】
【発明の実施の形態】
以下、本発明の実施の形態について図面を参照しながら説明する。
【００１７】
この実施の形態は、例えばビデオテープレコーダやスイッチャ等の送信側周辺装置からのフルバンドのハイビジョン（Ｈｉｇｈ  Ｄｅｆｉｎｉｔｉｏｎ  ＴＶ、ＨＤＴＶ）ディジタル信号（非圧縮１．４８５Ｇｂｐｓ）を中・長距離伝送してモニタ装置等の受信側周辺装置に供給するハイビジョンディジタル信号伝送装置である。
【００１８】
このハイビジョンディジタル信号伝送装置は、図１に示すように送信側周辺装置１から同軸ケーブル２を介して供給されたシリアルのハイビジョンディジタル信号をシリアルディジタル光信号に変換して光ファイバ４を介して送信する光送信器３と、光ファイバ４を介した光送信器３からのシリアルディジタル光信号を受信しシリアルハイビジョンディジタル信号に変換して受信側同軸ケーブル６に供給する光受信器５とを備えてなる。
【００１９】
光送信器３は、図２に示すように、ケーブル自動等化器１０と、クロック生成部１１と、タイミング補正部１２と、電気／光（図中、Ｅ／Ｏと記す）変換器１３とからなる。
【００２０】
ケーブル自動等化部１０は、１本の同軸ケーブル２、同軸コネクタを介してハイビジョンディジタル信号を出力する送信側周辺装置１と接続され、受信したシリアルハイビジョンディジタル信号を所定のレベルにしてクロック生成部１１及びタイミング補正部１２に送出する。
【００２１】
クロック生成部１１では、ケーブル自動等化部１０が出力した所定のレベルの電気信号からクロック周波数を抽出しシリアルクロックを生成してタイミング補正部１２に送出する。
【００２２】
クロック生成部１１は図３に示すようにエッジ検出部１５と、狭帯域フィルタ１６と、増幅器１７とを備えてなる。エッジ検出部１５でパルス信号に変換し、狭帯域フィルタ１６を通過させることでシリアルクロックを生成する。１．４８５Ｇｂｐｓという転送レートのデータからクロック信号を抽出するには、通常のＰＬＬ回路では転送レートが速すぎ追随できず困難であるため図３のような構成とされる。
【００２３】
タイミング補正部１２は、図４に示すように、可変ディレイライン１８と、Ｄフリップフロップ回路１９とを備えてなる。上記シリアルクロックを可変ディレイライン１８で位相合わせしてから、Ｄフリップフロップ回路１９のクロック端子に入力する。Ｄフリップフロップ回路１９のデータ端子にはケーブル自動等化器１０からの上記電気信号が供給される。このため、Ｄフリップフロップ回路１９は、上記シリアルクロックの発生タイミングで上記電気信号をラッチし、Ｅ／Ｏ変換器１３に供給する。
【００２４】
Ｅ／Ｏ変換器１３は上記電気信号を光信号に変換するので、光ファイバ４にはシリアルディジタル光信号が入力される。光ファイバ４にはモード分散による劣化を避ける為、ゼロ分散シングルモード光ファイバを用いる。Ｅ／Ｏ変換器１３としては、半導体レーザを用いる。
【００２５】
光ファイバ４中を劣化なく通った上記シリアルディジタル光信号は光受信器５に供給される。
【００２６】
光受信器５は、図５に示すように、光／電気（Ｏ／Ｅ）変換器２１と、クロック生成部２２と、タイミング補正部２３と、ケーブルドライバ２４とからなる。
【００２７】
クロック生成部２２は、上記クロック生成部１１と同様に、１．４８５Ｇｂｐｓという転送レートのデータを扱うので、図３に示した構成をとる。
【００２８】
タイミング補正部２３も、図４に示したのと同様の構成であり、クロック生成部２２からのシリアルクロックを可変ディレイラインで位相合わせしてから、Ｄフリップフロップ回路のクロック端子に入力する。Ｄフリップフロップ回路のデータ端子にはＯ／Ｅ変換器２１からの電気信号が供給される。このため、Ｄフ
リップフロップ回路は、上記シリアルクロックの発生タイミングで上記電気信号をラッチし、ケーブルドライバ２４に供給する。
【００２９】
ケーブルドライバ２４は、上記ラッチされた電気信号を同軸ケーブル６に供給する。同軸ケーブル６から上記電気信号は、受信側周辺装置７に送られる。
【００３０】
以上、このハイビジョンディジタル信号伝送装置は、送信側周辺装置１からシリアルのハイビジョンディジタル信号を同軸ケーブル２を介して光送信器３に供給してから、光送信器３により上記ハイビジョンディジタル信号をシリアルディジタル光信号に変換し、光ファイバー４を通して光受信器５に供給している。そして、光受信器５に上記シリアルディジタル光信号を再度、シリアルのハイビジョンディジタル信号に変換させ、同軸ケーブル６を介して受信側周辺装置７に供給している。このため、従来のパラレルディジタルインターフェースを介した場合、またはアナログインターフェースを介した場合のように、周辺装置と光送信装置及び受信装置とを結ぶケーブル間に伝送遅延アンバランスを生じさせることがない。また、装置間の複数本の同軸ケーブルを不要とする。
【００３１】
なお、本発明に係るディジタル信号伝送装置は、図６に示すような構成のハイビジョンディジタル信号伝送装置を他の実施の形態としてもよい。
【００３２】
この他の実施の形態は、複数の光送信器を多段接続してなり、図１に示した伝送系を並列に構成できる並列接続タイプのハイビジョンディジタル信号伝送装置である。
【００３３】
この並列接続タイプのハイビジョンディジタル信号伝送装置は、１台の送信側周辺装置３１から同軸ケーブル３２、及び同軸ケーブル３４１、３４２・・・３４ｎ−１により供給されたシリアルハイビジョンディジタル信号をシリアルディジタル光信号に変換する光送信器３３１、及び光送信器３３２、３３３・・・３３ｎと、光送信器３３１、３３２、３３３・・・３３ｎによって得られたシリアルディジタル光信号をそれぞれ光送信する光ファイバ３５１、３５２、３５３・・・３５ｎと、これら光ファイバ３５１、３５２、３５３・・・３５ｎによって送信されたシリアルディジタル光信号をシリアルハイビジョンディジタル信号に変換する光受信器３６１、３６２、３６３・・・３６ｎと、これら光受信器３６１、３６２、３６３・・・３６ｎからのシリアルハイビジョンディジタル信号を複数の受信側周辺装置３８１、３８２、３８３・・・３８ｎにそれぞれ伝送する同軸ケーブル３７１、３７２、３７３・・・３７ｎから構成される。
【００３４】
送信側周辺装置３１にのみ設けられたシリアルディジタルインターフェース端子から同軸ケーブル３２により送信されたシリアルハイビジョンディジタル信号は、光送信器３３１に供給される。
【００３５】
光送信器３３１内部には、例えばアンプを用いてなり、入力信号が供給されたときのみループを構成するアクティブループスルー端子が設けられており、光送信器３３２に上記シリアルハイジョンディジタル信号を同軸ケーブル３４１を介して供給する。同様に光送信器３３２、３３３・・・３３ｎ−１のそれぞれ内部にも、上記アクティブループスルー端子が設けられており、上記シリアルハイジョンディジタル信号を同軸ケーブル３４２・・・３４ｎ−１を介してそれぞれ次段の光送信器３３・・・３３ｎに供給する。
【００３６】
光送信器３３１、及び光送信器３３２、３３３・・・３３ｎは、同軸ケーブル３２、及び同軸ケーブル３４１・・・３４ｎ−１を介して受け取った上記シリアルハイビジョンディジタル信号をシリアルディジタル光信号に変換し、光ファイバ３５１、３５２、３５３・・・３５ｎに通す。
【００３７】
光ファイバ３５１、３５２、３５３・・・３５ｎを通った上記シリアルディジタル光信号は、光受信器３６１、３６２、３６３・・・３６ｎに供給され、再度シリアルハイビジョンディジタル信号に変換される。この光受信器３６１、３６２、３６３・・・３６ｎからのハイビジョンディジタル信号は、同軸ケーブル３７１、３７２、３７３・・・３７ｎを介して複数の受信側周辺装置３８１、３８２、３８３・・・３８ｎに伝送される。
【００３８】
光送信器３３１、３３２、３３３・・・３３ｎの構成について図７を参照しながら説明する。なお、図７では光送信器３３１の構成として示す。
【００３９】
この光送信器３３１は、ケーブル自動等化器４１と、クロック生成部４２と、タイミング補正部４３と、Ｅ／Ｏ変換器４４と、ケーブルドライバ４５とからなる。
【００４０】
ケーブル自動等化部４１は、１本の同軸ケーブル３２、同軸コネクタを介してハイビジョンディジタル信号を出力する送信側周辺装置３１と接続され、受信したシリアルハイビジョンディジタル信号を所定のレベルにしてクロック生成部４２及びタイミング補正部４３に送出する。
【００４１】
クロック生成部４２では、ケーブル自動等化部４１が出力した所定のレベルの電気信号からクロック周波数を抽出しシリアルクロックを生成してタイミング補正部４３に送出する。
【００４２】
クロック生成部４２は上記図３に示すようにエッジ検出部１５と、狭帯域フィルタ１６と、増幅器１７とを備えてなる。エッジ検出部１５でパルス信号に変換し、狭帯域フィルタ１６を通過させることでシリアルクロックを生成する。１．４８５Ｇｂｐｓという転送レートのデータからクロック信号を抽出するには、通常のＰＬＬ回路では転送レートが速すぎ追随できず困難であるため図３のような構成とされる。
【００４３】
タイミング補正部４３は、図４に示すように、可変ディレイライン１８と、Ｄフリップフロップ回路１９とを備えてなる。上記シリアルクロックを可変ディレイライン１８で位相合わせしてから、Ｄフリップフロップ回路１９のクロック端子に入力する。Ｄフリップフロップ回路１９のデータ端子にはケーブル自動等化器１０からの上記電気信号が供給される。このため、Ｄフリップフロップ回路１９は、上記シリアルクロックの発生タイミングで上記電気信号をラッチし、Ｅ／Ｏ変換器４４に供給する。
【００４４】
Ｅ／Ｏ変換器４４は上記電気信号を光信号に変換するので、光ファイバ３５１にはシリアルディジタル光信号が入力される。この光ファイバ３５１にはモード分散による劣化を避ける為、ゼロ分散シングルモード光ファイバを用いる。Ｅ／Ｏ変換器４４としては半導体レーザを用いる。
【００４５】
ケーブルドライバ４５は、上記アクティブループスルー端子を備えてなり、上記ハイビジョンディジタル信号を同軸ケーブル３４１に供給する。
【００４６】
光ファイバ３５１、３５２、３５３・・・３５ｎ中を劣化なく通った上記シリアルディジタル光信号は光受信器３６１、３６２、３６３・・・３６ｎに供給される。
【００４７】
各光受信器３６１、３６２、３６３・・・３６ｎの構成は、図５に示したのと同様であるので、ここでは説明を省略する。
【００４８】
以上、この他の実施の形態となる並列接続タイプのハイビジョンディジタル信号伝送装置は、光送信器３３１、３３２、３３３・・・３３ｎの各ケーブルドライバにアクティブループスルー端子を備え、多段接続を可能してなる。このため、一つの送信側周辺装置３１と複数の受信側周辺装置３８１、３８２、３８３・・・３８ｎを接続する場合、送信側周辺装置３１にシリアルディジタルインターフェース端子が一つあればシステム全体を並列化する必要がなくなる。
【００４９】
【発明の効果】
本発明に係る光送信装置は、電気／光変換器によりシリアルディジタル信号をシリアルディジタル光信号に変換すると共にタイミング補正部によりシリアルクロックでラッチされたシリアルディジタル信号が入力信号として供給されたときのみアクティブループスルー端子にてループを構成して複数多段接続されるので、シリアルディジタル信号をシリアルディジタル光信号に変換して複数の光受信手段に送信することができる。
【００５０】
本発明に係るディジタル信号伝送装置は、複数の光送信手段の各々が、送信側周辺装置又は前段の光送信手段から同軸ケーブルを介して供給されたシリアルディジタル信号をケーブル自動等化器により所定のレベルにしてクロック生成部及びタイミング補正部に送出し、クロック生成部により所定のレベルのシリアルディジタル信号からシリアルクロックを生成してタイミング補正部に送出し、タイミング補正部により所定のレベルのシリアルディジタル信号をシリアルクロックでラッチし、電気／光変換器によりシリアルディジタル信号をシリアルディジタル光信号に変換すると共にタイミング補正部によりシリアルクロックでラッチされたシリアルディジタル信号が入力信号として供給されたときのみアクティブスルー端子にてループを構成して複数多段接続され、複数の光受信手段の各々が複数多段接続された各光送信手段からの各シリアルディジタル光信号を受信して各シリアルディジタル光信号を光／電気変換器により電気信号に変換してタイミング補正部及びクロック生成部に送出し、クロック生成部によって電気信号からシリアルクロックを生成してタイミング補正部に送出し、タイミング補正部により電気信号をシリアルクロックでラッチしてケーブルドライバに供給し、ケーブルドライバによってラッチされた電気信号であるシリアルディジタル信号を同軸ケーブルを介して各受信側周辺装置に伝送するので、複雑な構成を不要としながらも複数の受信側周辺装置へのディジタル信号の伝送を可能とする。
【００５１】
本発明に係るディジタル信号伝送方法は、複数の光送信手段の各々で、送信側周辺装置又は前段の光送信手段から同軸ケーブルを介して供給されたシリアルディジタル信号を所定のレベルにするステップと、所定のレベルのシリアルディジタル信号からシリアルクロックを生成するステップと、シリアルクロックを用い、所定のレベルのシリアルディジタル信号をラッチするステップと、ラッチされたシリアルディジタル信号をシリアルディジタル光信号に変換するステップと、シリアルクロックにてラッチされたシリアルディジタル信号が入力として供給されたときのみケーブルドライバ内に有するアクティブループスルー端子にてループを構成するステップが実行され、複数の光受信手段の各々で、シリアルディジタル光信号を電気信号に変換するステップと、光／電気変換された電気信号からシリアルクロックを生成するステップと、シリアルクロックを用いて光／電気変換された電気信号をラッチするステップと、ラッチされた電気信号であるシリアルディジタル信号を同軸ケーブルに供給するステップが実行されるので、複雑な構成を不要としながらも複数の受信側周辺装置へのディジタル信号の伝送を可能とする。
【図面の簡単な説明】
【図１】本発明に係るディジタル信号伝送装置の実施の形態となるハイビジョンディジタル信号伝送装置のブロック図である。
【図２】上記ハイビジョンディジタル信号伝送装置に用いられる光送信器の詳細な構成を示すブロック図である。
【図３】上記図２に示した光送信器内のクロック生成部の詳細な構成を示すブロック図である。
【図４】上記図２に示した光送信器内のタイミング補正部の詳細な構成を示すブロック図である。
【図５】上記ハイビジョンディジタル信号伝送装置に用いられる光受信器の詳細な構成を示すブロック図である。
【図６】本発明に係るディジタル信号伝送装置の他の実施の形態となる並列接続型ハイビジョンディジタル信号伝送装置のブロック図である。
【図７】図６に示した並列接続型ハイビジョンディジタル信号伝送装置に用いられる光送信器の詳細な構成を示すブロック図である。
【図８】パラレルディジタル信号を光信号に変換して伝送する従来の伝送装置を示すブロック図である。
【図９】アナログ信号を光信号に変換して伝送する従来の伝送装置を示すブロック図である。
【符号の説明】
１    送信側周辺装置、２    同軸ケーブル、３    光送信器、４    光ファイバー、５光受信器、６    同軸ケーブル、７    受信側周辺装置
【図１】
0003581490.tif 000002
【図２】
0003581490.tif 000003
【図３】
0003581490.tif 000004
【図４】
0003581490.tif 000005
【図５】
0003581490.tif 000006
【図６】
0003581490.tif 000007
【図７】
0003581490.tif 000008
【図８】
0003581490.tif 000009
【図９】
0003581490.tif 000010